(57)【特許請求の範囲】
【請求項１】
記録媒体に記録された動画を再生して表示装置に表示する再生手段と、
前記表示装置に表示された動画の場面を静止画として抽出する抽出手段と、
２段階の操作が可能な操作部とを有し、
前記再生手段は、第１の再生速度で動画を再生している場合、前記操作部の第１段階目の操作がされたことに応じて、再生中の動画における前記第１段階目の操作がされたときの場面よりも後の場面を、前記第１の再生速度よりも遅い第２の再生速度で再生し、前記抽出手段は、前記操作部の１段階目の操作中に、前記操作部の第２段階目の操作がされたことに応じて、前記再生中の動画における前記２段階目の操作に対応する場面を静止画として抽出する画像処理装置であって、
前記再生手段は、前記第１段階目の操作中は、巻き戻しの操作がされたことに応じて、前記再生中の動画を逆方向に再生することを特徴とする画像処理装置。
【請求項２】
記録媒体に記録された動画を再生して表示装置に表示する再生手段と、
前記表示装置に表示された動画の場面を静止画として抽出する抽出手段と、
２段階の操作が可能な操作部とを有し、
前記再生手段は、第１の再生速度で動画を再生している場合、前記操作部の第１段階目の操作がされたことに応じて、再生中の動画における前記第１段階目の操作がされたときの場面よりも後の場面を、前記第１の再生速度よりも遅い第２の再生速度で再生し、前記抽出手段は、前記操作部の１段階目の操作中に、前記操作部の第２段階目の操作がされたことに応じて、前記再生中の動画における前記２段階目の操作に対応する場面を静止画として抽出する画像処理装置であって、
前記再生手段は、前記第１段階目の操作中は、巻き戻しの操作がされるまでは、前記再生中の動画を逆方向に再生させないことを特徴とする画像処理装置。
【請求項３】
前記再生手段は、前記第１段階目の操作中に、前記第１段階目の操作が終了されたことに応じて、前記再生中の動画における前記第１の操作が終了されたときの場面よりも後の場面を、前記第１の再生速度で再生することを特徴とする請求項１または２に記載の画像処理装置。
【請求項４】
記録媒体に記録された動画を再生して表示装置に表示する再生手段と、
前記表示装置に表示された動画の場面を静止画として抽出する抽出手段と、
２段階の操作が可能な操作部とを有し、
前記再生手段は、第１の再生速度で動画を再生している場合、前記操作部の第１段階目の操作がされたことに応じて、再生中の動画における前記第１段階目の操作がされたときの場面よりも後の場面を、前記第１の再生速度よりも遅い第２の再生速度で再生し、前記抽出手段は、前記操作部の１段階目の操作中に、前記操作部の第２段階目の操作がされたことに応じて、前記再生中の動画における前記２段階目の操作に対応する場面を静止画として抽出する画像処理装置であって、
前記再生手段は、前記第１段階目の操作中に、前記第１段階目の操作が終了されたことに応じて、前記再生中の動画における前記第１の操作が終了されたときの場面よりも後の場面を、前記第１の再生速度で再生する画像処理装置。
【請求項５】
前記再生手段は、前記第１段階目の操作中に、前記第２段階目の操作がされたことに応じて、前記再生中の動画を前記第１の再生速度で再生することを特徴とする請求項１から４のいずれか１項に記載の画像処理装置。
【請求項６】
記録媒体に記録された動画を再生して表示装置に表示する再生手段と、
前記表示装置に表示された動画の場面を静止画として抽出する抽出手段と、
２段階の操作が可能な操作部とを有し、
前記再生手段は、第１の再生速度で動画を再生している場合、前記操作部の第１段階目の操作がされたことに応じて、再生中の動画における前記第１段階目の操作がされたときの場面よりも後の場面を、前記第１の再生速度よりも遅い第２の再生速度で再生し、前記抽出手段は、前記操作部の１段階目の操作中に、前記操作部の第２段階目の操作がされたことに応じて、前記再生中の動画における前記２段階目の操作に対応する場面を静止画として抽出する画像処理装置であって、
前記再生手段は、前記第１段階目の操作中に、前記第２段階目の操作がされたことに応じて、前記再生中の動画を前記第１の再生速度で再生することを特徴とする画像処理装置。
【請求項７】
前記画像処理装置は、前記２段階の操作が可能な操作部以外の第２の操作部を有し、前記再生手段は、前記操作部の１段階目の操作中に、さらに前記第２の操作部の操作に応じて前記再生中の動画の再生速度を変更することを特徴とする請求項１から６のいずれか１項に記載の画像処理装置。
【請求項８】
前記再生手段は、前記操作部の１段階目の操作中は、前記再生中の動画の被写体の動きの変化量に応じて、変更後の動画の再生速度を変更することを特徴とする請求項１から７のいずれか１項に記載の画像処理装置。
【請求項９】
前記再生手段は、前記再生中の動画から得られる輝度信号の変化量に基づいて前記被写体の動きの変化量を検出することを特徴とする請求項８記載の画像処理装置。
【請求項１０】
前記２段階の操作が可能な操作部は、深さ方向に２段階の操作が可能な操作部であることを特徴とする請求項１から９のいずれか１項に記載の画像処理装置。
【請求項１１】
前記第２段階の操作が可能な操作部は、静止画撮影ボタンであることを特徴とする請求項１０記載の画像処理装置。
【請求項１２】
前記第２の操作部は、撮像する画角を変更するズーム操作部であることを特徴とする請求項７記載の画像処理装置。
【発明の詳細な説明】
【技術分野】
【０００１】
本発明は、動画から静止画を抽出可能とする画像処理装置に関する。
【背景技術】
【０００２】
従来から、ビデオカメラにおいて、静止画撮影機能を搭載し、１台の撮像装置で動画と静止画の両方の記録再生が可能なものが知られている。
【０００３】
また、撮影した動画に現れる特定の場面を静止画として残しておきたいというユーザーの要望に応えるため、撮影した動画から静止画を抽出する機能を備えた撮像装置が提案されている（例えば、特許文献１、特許文献２）。
【０００４】
近年、高精彩のＨＤ形式の動画を記録可能な民生用ビデオカメラとしてＨＤＶフォーマット方式のビデオカメラが製品化されており、ＨＤＶフォーマット方式で記録された高精彩動画から抽出される静止画は十分鑑賞に堪えうるものになってきている。
【０００５】
ユーザーが撮影した動画から静止画を抽出する技術としては、動画再生中に所望の場面にて静止画抽出ボタン等を操作することで、所望の場面を静止画として抽出する技術が知られている。
【０００６】
ところが、決定的瞬間や動きの速い被写体等の場面を抽出する場合、抽出するタイミングを逃してしまうことが考えられる。
【０００７】
そこで、ユーザーが撮影した動画に現れる所望の場面を静止画として確実に抽出する手法として、以下の技術が知られている。
【０００８】
即ち、動画再生中において、抽出したい所望の場面の近傍にてスロー再生ボタンやコマ送り再生ボタン等を操作することで、動画の再生方法をスローやコマ送り再生に変更する。そして、ユーザーが所望の場面にて一時停止した後に静止画抽出ボタンを操作することで静止画として抽出する方。
【特許文献１】特開２００４−２９７６５８号公報
【特許文献２】特開２００７−０７４２７６号公報
【発明の開示】
【発明が解決しようとする課題】
【０００９】
しかしながら、上記従来では、スロー再生ボタンやコマ送りボタン、静止画抽出ボタン等の各種操作ボタンが必要となり、撮像装置本体の大型化やコストアップといった問題があった。また、各種操作ボタンによる操作が必要となり、操作が煩雑化するといった問題があった。
【００１０】
本発明の目的は、本体を大型化することなく、かつ、煩雑な操作を必要とせずに、ユーザーが動画に現れる所望の場面を静止画として抽出可能な画像処理装置を提供することにある。
【課題を解決するための手段】
【００１１】
上記目的を達成するために、本発明の画像処理装置は、記録媒体に記録された動画を再生して表示装置に表示する再生手段と、前記表示装置に表示された動画の場面を静止画として抽出する抽出手段と、２段階の操作が可能な操作部とを有し、前記再生手段は、第１の再生速度で動画を再生している場合、前記操作部の第１段階目の操作がされたことに応じて、再生中の動画における前記第１段階目の操作がされたときの場面よりも後の場面を、前記第１の再生速度よりも遅い第２の再生速度で再生し、前記抽出手段は、前記操作部の１段階目の操作中に、前記操作部の第２段階目の操作がされたことに応じて、前記再生中の動画における前記２段階目の操作に対応する場面を静止画として抽出する画像処理装置であって、前記再生手段は、前記第１段階目の操作中は、巻き戻しの操作がされたことに応じて、前記再生中の動画を逆方向に再生することを特徴とする。
【発明の効果】
【００１３】
本発明によれば、本体を大型化することなく、かつ、煩雑な操作を必要とせずに、ユーザーが動画に現れる所望の場面を静止画として抽出可能となる。
【発明を実施するための最良の形態】
【００１４】
以下、本発明の実施の形態を図面を参照しながら詳細に説明する。
【００１５】
（第１の実施の形態）
図１は、本発明の実施の形態に係る撮像装置としてのビデオカメラのブロック図である。図２は、本発明の実施の形態に係る撮像装置としてのビデオカメラの正面方向（被写体側）右側から見た外観斜視図である。図３は、本発明の実施の形態に係る撮像装置としてのビデオカメラの後方（撮影者側）から見た外観背面図である。
【００１６】
ビデオカメラ本体１００は、図１に示すように、フォーカス及びズーム等の光学制御系を含む光学レンズ群及び絞りからなるレンズ１０１、ＣＣＤ等の撮像素子を含む撮像部１０２、カメラ信号処理部１０３、圧縮伸張処理部１０４、表示部１０５を備える。
【００１７】
また、ビデオカメラ本体１００は、記録再生処理部１０６、カード制御部１０７、テープ制御部１０８、マイクロフォン１０９、音声信号処理部１１０、メモリ１１１、メモリ制御部１１２を備える。
【００１８】
また、ビデオカメラ本体１００は、ＣＰＵ１１３、操作部１１４、デジタルＩ／Ｆ１１５、入出力部１１６、電源制御部１１７を備える。
【００１９】
また、各機能ブロックはそれぞれデータバス１１８を介して互いにデータ通信可能に接続されている。
【００２０】
カード制御部１０７にはメモリカード１１９が接続される。テープ制御部１０８にはテープ１２０が接続される。デジタルＩ／Ｆ１１５には外部装置１２１が接続される。入出力部１１６には外部装置１２２が接続される。電源制御部１１７にはバッテリ１２３が接続される。
【００２１】
このようなビデオカメラ本体１００において、メモリ１１１は、プログラム記憶領域とデータ作業領域を有する。これらの領域は、データバス１１８を介して各機能ブロックでタイム・シェアリングして使用され、メモリ制御部１１２により制御及び管理されている。
【００２２】
ＣＰＵ１１３は、所定のプログラムを実行することにより、ビデオカメラ本体１００全体を統括制御する中央演算処理回路である。
【００２３】
操作部１１４は、図２及び図３の操作ボタン１１４ａ、１１４ｂ、１１４ｃ、１１４ｄ、１１４ｅ、１１４ｆ、１１４ｇ、１１４ｈ、１１４ｉ、１１４ｊ、１１４ｋ、１１４ｌ、１１４ｍ、１１４ｎ、１１４ｏ、１１４ｐ、１１４ｑ、１１４ｒを有する。操作部１１４は、ユーザーからのボタン操作等に基づいて、ＣＰＵ１１３に対して動作指示する機能を有する。
【００２４】
ここで、各操作ボタンを具体的に説明する。
【００２５】
再生操作ボタンとして、巻き戻しボタン１１４ａ、早送りボタン１１４ｂ、再生／一時停止ボタン１１４ｃ、停止ボタン１１４ｄがある。巻き戻しボタン１１４ａは、動画の再生方向を変更するための再生方向変更手段として機能する。
【００２６】
また、デジタルエフェクトの可否ボタン１１４ｅ、連写機能の設定ボタン１１４ｆ、セルフタイマの設定ボタン１１４ｇがある。
【００２７】
また、レンズの画角をワイド側またはテレ側に変化させるズーム操作を行うためのズームツマミ１１４ｈ、静止画の記録を行う静止画撮影ボタン１１４ｉがある。
【００２８】
ズームツマミ１１４ｈは、撮像する画角を変更するズーム操作手段として機能する。静止画撮影ボタン１１４ｉは、半押しと全押し操作が可能な２段階スイッチである。静止画撮影ボタン１１４ｉは、半押しと全押しとの２段階の操作を行う静止画撮影手段として機能する。
【００２９】
また、メニュー表示のＯＮ／ＯＦＦの切り替え等を行うメニューボタン１１４ｊ、メニューの選択・決定等を行うメニューツマミ１１４ｋ、撮影時にホワイトバランスの設定を行うホワイトバランス設定ボタン１１４ｌがある。
【００３０】
また、撮影時にオート／マニュアルフォーカス選択を設定するフォーカス設定ボタン１１４ｍ、撮影時に露出を設定する露出設定ボタン１１４ｎ、モードダイヤル１１４ｏがある。
【００３１】
モードダイヤル１１４ｏは、ダイヤルを回転動作することで、全自動モード、シャッタースピード優先モード、絞り優先モード等の撮影イメージに合わせたプログラム自動露出を設定することが可能である。
【００３２】
また、回転動作することで電源オフ、撮影モード、再生モードを切り替えることが可能な電源ダイヤル１１４ｐがある。
【００３３】
また、押圧動作することで、動画撮影のスタート／ストップを行うことが可能な動画撮影ボタン１１４ｑがある。
【００３４】
また、回転動作することで、画像を記録する記録媒体を選択することが可能な記録媒体切り替えレバー１１４ｒがある。
【００３５】
再び、図１に戻り、デジタルＩ／Ｆ１１５は、例えばＩＥＥＥ１３９４やＵＳＢ等の規格に従い信号を授受する。メモリカード１１９は、ＳＤカードやコンパクトフラッシュ(登録商標)等の脱着式のフラッシュメモリであり、撮影データ及び音声データが記録される。
【００３６】
電源制御部１１７は、バッテリ検出回路、ＤＣ−ＤＣコンバータ、通電するブロックを切り替えるスイッチ回路等により構成されており、電池の装着の有無、電池の種類、電池残量の検出を行う。バッテリ１２３は、リチウムイオン電池等であり、ビデオカメラ本体１００に電源を供給する。
【００３７】
次に、図１のビデオカメラの撮影動作及び記録動作、再生動作について説明する。
【００３８】
例えば、操作部１１４により撮影動作及び記録動作が指示された場合、被写体からの光は、レンズ１０１により所定の明るさ、画角、及びフォーカス等が制御された光学信号となって撮像部１０２に対して入力される。
【００３９】
撮像部１０２は、入力光学信号を電気信号に変換し、カメラ信号処理部１０３に出力する。カメラ信号処理部１０３は、この電気信号をデジタル画像信号に変換する。そして、この画像信号に対して、色分離、階調補正、及びホワイトバランス調整等の信号処理を施した後に出力する。
【００４０】
音声信号処理部１１０は、マイクロフォン１０９より入力された音声信号を所定レベルにゲインコントロールしてデジタル化することで、音声データとして出力する。
【００４１】
圧縮伸張処理部１０４は、カメラ信号処理部１０３から出力された画像データ及び音声信号処理部１１０から出力された音声データを所定の圧縮符号化方式により圧縮符号化する。
【００４２】
表示部１０５は、図２及び図３に示す液晶表示部１０５ａとＥＶＦ１０５ｂにより構成され、圧縮伸張処理部１０４で圧縮符号化対象の撮影データを表示する。また、表示部１０５は、必要に応じてビデオカメラ本体１００の動作状況をオンスクリーン・ディスプレイ情報として表示する。
【００４３】
記録再生処理部１０６は、圧縮伸張処理部１０４で得られた圧縮符号化後のデータに対して、エラー訂正符号化処理や変調処理等を施し、更に同期、ＩＤ等のデータを付加して記録に適した形態に変換する。
【００４４】
そしてその後、記録再生処理部１０６は、変換されたデータをメモリカード１１９あるいはテープ１２０等の記録媒体に記録する。この際、カード制御部１０７はメモリカード１１９の記録制御を、テープ制御部１０８はテープ１２０の記録制御を行う。
【００４５】
一方、操作部１１４により再生動作が指示された場合、記録再生処理部１０６は、メモリカード１１９またはテープ１２０から読み出したデータから元のデジタルデータを検出し、エラー訂正及び復調等の処理を施す。また、ＰＬＬ回路によりこの再生データに同期したクロックを生成する。
【００４６】
圧縮伸張処理部１０４は、記録再生処理部１０６より出力されたデータに対して、所定の圧縮符号化方式に対応した伸張処理を施し、圧縮符号化前の撮影データ及び音声データを取得する。表示部１０５は、圧縮伸張処理部１０４で得られた再生データを表示する。
【００４７】
また、操作部１１４によりデジタルＩ／Ｆ１１５からの入力データを記録する指示があった場合、ＣＰＵ１１３は、デジタルＩ／Ｆ１１５により、外部装置１２１からの画像データあるいは音声データをデジタル信号の状態で入力し、記録再生処理部１０６に送る。
【００４８】
この際、外部装置１２１からの画像データ、音声データは既に符号化されているものとし、記録再生処理部１０６は前述のようにこの入力データに対して記録に必要な処理を施してメモリカード１１９やテープ１２０等の記録媒体に記録する。
【００４９】
また、操作部１１４により、入出力部１１６からの入力信号を記録する指示があった場合、ＣＰＵ１１３は、入出力部１１６を制御し、外部装置１２２から出力された画像、音声信号を入力する。
【００５０】
入出力部１１６は、外部装置１２２から出力された画像、音声信号をデジタルデータに変換してメモリ１１１に出力する。ＣＰＵ１１３は、このメモリ１１１に記憶（記録）された画像、音声データを圧縮伸張処理部１０４に出力して圧縮符号化し、記録再生処理部１０６に送る。記録再生処理部１０６は、前述の様に、この符号化されたデータに対して記録に必要な処理を施してメモリカード１１９やテープ１２０等の記録媒体に記録する。
【００５１】
次に、図１のビデオかめらの動画再生時における静止画抽出処理について説明する。
【００５２】
図４は、図１のビデオカメラによって実行される動画再生時（再生モード）の静止画抽出処理の手順を示すフローチャートである。
【００５３】
本実施の形態は、メモリカード１１９もしくはテープ１２０に記録されている動画に現れる特定の場面を静止画として抽出することが可能である。
【００５４】
まず、ユーザーが動画を再生する際には、電源ダイヤル１１４ｐにより再生モードを選択する。ここまでは、従来のビデオカメラと同様である。
【００５５】
このように、再生モードが選択されると、ステップＳ１０１にて、液晶表示部１０５ａもしくはＥＶＦ１０５ｂに再生モード画面を表示し、ステップＳ１０２に進む。
【００５６】
ステップＳ１０２では、再生ボタン１１４ｃが押圧されたか否かを判別する。ここで、再生ボタン１１４ｃが押圧されたと判別された場合、ステップＳ１０３に進む。
【００５７】
ステップＳ１０３では、動画の１倍速再生を開始し、ステップＳ１０４に進む。
【００５８】
ステップＳ１０４では、静止画撮影ボタン１１４ｉが半押しされたか否かを判別する。
ここで、静止画撮影ボタン１１４ｉが半押しされていなければ、ステップＳ１０８に進み、動画の再生終了を待ち、終了していなければステップＳ１０３に戻り、終了していれば本処理を終了する。
【００５９】
一方、ステップＳ１０４にて、静止画撮影ボタン１１４ｉが半押しされたと判別された場合、ステップＳ１０５に進む。
【００６０】
ステップＳ１０５では、記録再生処理部１０６において、動画再生速度の変更処理を行い、ステップＳ１０６に進む。動画再生速度の変更処理に際しては、例えば、ユーザー所望の場面を静止画として確実に抽出し易いスロー再生等に変更する。
【００６１】
ステップＳ１０５は、動画再生中に静止画撮影手段（静止画撮影ボタン１１４ｉ）の半押しにより動画再生速度を変更する動画再生速度変更手段として機能する。動画再生速度変更手段による速度変更は多段階に行うことができる。
【００６２】
ここで、動画再生速度の変更処理について詳しく述べる。
【００６３】
図５は、図４のステップＳ１０５で実行される動画再生速度変更処理の手順を示すフローチャートである（１）。
【００６４】
まず、ステップＳ２０１にて、メモリ１１１に記録管理されている初期スロー速度設定の速度に動画再生速度を変更し、ステップＳ２０２に進む。ここで、初期スロー速度設定は、ユーザーによって、例えば、１／２速度、１／５速度等の好みの速度に変更可能であり、変更情報はメモリ１１１に記録管理される。
【００６５】
ステップＳ２０２では、ズームツマミ１１４ｈが操作されたか否かを判別する。ここで、ズームツマミ１１４ｈが操作されていなければ、ステップＳ２０４に進む。一方、ズームツマミ１１４ｈが操作されたと判別された場合、ステップＳ２０３に進む。
【００６６】
ステップＳ２０３では、ズームツマミ１１４ｈの操作に応じたスロー速度を変更する処理を行い、ステップＳ２０４に進む。ここで、ズームツマミ１１４ｈの操作に応じたスロー速度変更処理に際しては、例えば、ズームツマミ１１４ｈがワイド側に操作された場合は、初期スロー速度に対して更に速度を遅くする変更処理を行う。また、ズームツマミ１１４ｈがテレ側に操作された場合は、初期スロー速度に対して速度を早くする変更処理を行う。
【００６７】
ステップＳ２０４では、巻き戻しボタン１１４ａが押圧されたか否かを判別する。ここで、巻き戻しボタン１１４ａが押圧されていなければ、動画再生速度変更処理を終了する。一方、巻き戻しボタン１１４ａが操作されたと判別された場合は、ステップＳ２０５に進む。
【００６８】
ステップＳ２０５では、スロー再生を順送りから逆送りスロー再生に変更し、動画再生速度の変更処理を終了する。
【００６９】
再び、図４に戻り、ステップＳ１０６では、静止画撮影ボタン１１４ｉが全押しされたか否かを判別する。ここで、静止画撮影ボタン１１４ｉが全押しされていなければ、ステップＳ１０４に戻る。一方、静止画撮影ボタン１１４ｉが全押しされたと判別された場合は、ステップＳ１０７に進む。
【００７０】
ステップＳ１０７では、静止画撮影ボタン１１４ｉが全押しされた場面を静止画として抽出し、メモリカード１１９に保存して、ステップＳ１０８に進む。
【００７１】
ステップＳ１０７は、静止画撮影手段（静止画撮影ボタン１１４ｉ）の全押しにより再生中の動画から静止画を抽出する静止画抽出手段として機能する。
【００７２】
ステップＳ１０８では、選択された動画の再生終了を待ち、終了していなければステップＳ１０３に戻り、終了していれば、本処理を終了する。
【００７３】
このように、本実施の形態では、ユーザーが動画から静止画を抽出する際に、動画再生中に静止画を抽出したい所望の場面の近傍にて静止画撮影ボタン１１４ｉを半押しすることで、動画再生速度をスロー再生（速度）に変更する。
【００７４】
よって、決定的瞬間や動きの速い被写体等の場面を静止画として抽出する場合において、タイミングを逃すことなく、確実に所望の場面を静止画として抽出することが可能となる。また、静止画撮影ボタン１つで、動画再生速度のスロー速度への変更と静止画抽出の実行が可能となるので、操作が簡便になる。
【００７５】
さらに、スロー再生ボタンや静止画抽出ボタンを新たに設ける必要が無いので、ビデオカメラ本体１００の大型化やコストアップを回避することが可能となる。
【００７６】
また、静止画撮影ボタン１１４ｉを半押した際の、初期スロー再生速度を予めユーザーによって、好みの速度に設定可能である。また、スロー再生中にズームツマミ１１４ｈを操作することでスロー速度を可変することや、巻き戻しボタン１１４ａを押圧することで逆送りスロー再生に変更することが可能である。
【００７７】
よって、静止画を抽出したい動画の状況によって、スロー速度や送り方向を適宜変更させることが可能になるため、静止画抽出作業の効率化やユーザーが意図する場面の静止画抽出が容易となる。
【００７８】
次に、図１のビデオカメラの動画撮影時における静止画抽出処理について説明する。
【００７９】
図６は、図１のビデオカメラによって実行される動画撮影時（撮影モード）の静止画抽出処理の手順を示すフローチャートである。
【００８０】
まず、ユーザーが動画を撮影する際には、電源ダイヤル１１４ｐにより撮影モードを選択する。
【００８１】
このように、撮影モードが選択されると、ステップＳ３０１にて、撮像（撮影）動画のリアルタイムスルー画像を液晶表示部１０５ａもしくはＥＶＦ１０５ｂに表示し、ステップＳ３０２に進む。
【００８２】
ステップＳ３０１は、撮影中の動画をスルー画像として表示するスルー画像表示手段として機能する。
【００８３】
ステップＳ３０２では、動画撮影ボタン１１４ｑが押圧されたか否かを判別する。ここで、動画撮影ボタン１１４ｑが押圧されたと判別された場合、ステップＳ３０３に進む。
【００８４】
ステップＳ３０３では、動画記録を開始し、ステップＳ３０４に進む。
【００８５】
ステップＳ３０４では、静止画撮影ボタン１１４ｉが半押しされたか否かを判別する。
【００８６】
ここで、静止画撮影ボタン１１４ｉが半押しされていなければ、ステップＳ３０９に進み、動画撮影ボタン１１４ｑの押圧を待ち、押圧がなければステップＳ３０４に戻り、押圧があればＳ３１０に進み、動画記録を終了する。
【００８７】
一方、ステップＳ３０４にて、静止画撮影ボタン１１４ｉが半押しされたと判別された場合、ステップＳ３０５に進む。
【００８８】
ステップＳ３０５では、液晶表示部１０５ａもしくはＥＶＦ１０５ｂに表示される撮像動画のスルー画像の遅延表示処理を行い、ステップＳ３０６に進む。
【００８９】
ステップＳ３０５は、動画撮影中に静止画撮影手段（静止画撮影ボタン１１４ｉ）の押しによりスルー画像表示手段に表示されるスルー画像の遅延表示処理を行うスルー画像遅延表示処理手段として機能する。
【００９０】
ここで、スルー画像の遅延表示処理について詳しく述べる。
【００９１】
図７は、図６のステップＳ３０５で実行されるスルー画像遅延表示処理の手順を示すフローチャートである（１）。
【００９２】
ステップＳ４０１にて、初期遅延時間として予め決められた１／２時間、１／５時間等の遅延したスルー画像の表示を行うことで、ユーザー所望の場面を静止画として確実に抽出し易いようにするための処理を行い、スルー画像の遅延表示処理を終了する。ここで、初期遅延時間は、ユーザーによって、好みの時間に変更可能なように、メモリ１１１に書き替え可能に記録管理される構成としてもよい。
【００９３】
再び、図６に戻り、ステップＳ３０６では、静止画撮影ボタン１１４ｉが全押しされたか否かを判別する。ここで、静止画撮影ボタン１１４ｉが全押しされていなければ、ステップＳ３０４に戻る。一方、静止画撮影ボタン１１４ｉが全押しされたと判別された場合は、ステップＳ３０７に進む。
【００９４】
ステップＳ３０７では、静止画撮影ボタン１１４ｉが全押しされた場面を静止画として抽出し、メモリカード１１９に保存して、ステップＳ３０８に進む。
【００９５】
ステップＳ３０８では、スルー画像を遅延表示処理状態からリアルタイムスルー画像表示に戻し、ステップＳ３０９に進む。
【００９６】
ステップＳ３０９では、動画撮影ボタン１１４ｑが押圧されたか否かを判別する。ここで、動画撮影ボタン１１４ｑが押圧されていなければ、ステップＳ３０４に戻る。一方、動画撮影ボタン１１４ｑが押圧されたと判別された場合は、ステップＳ３１０に進む。
【００９７】
ステップＳ３１０では、動画記録を終了し、本処理を終了する。
【００９８】
このように、本実施の形態では、ユーザーが動画撮影中に静止画を抽出したい所望の場面の近傍にて静止画撮影ボタン１１４ｉを半押しすることで、スルー画像をリアルタイム表示処理から遅延表示処理に変更する。
【００９９】
よって、決定的瞬間や動きの速い被写体等の場面を静止画として抽出する場合において、タイミングを逃すことなく、確実に所望の場面を静止画として抽出することが可能となる。また、静止画撮影ボタン１つで、スルー画像の遅延表示処理への変更と静止画の抽出の実行が可能となるので、操作が簡便となる。
【０１００】
（第２の実施の形態）
本発明の第２の実施の形態について以下に説明する。
【０１０１】
第２の実施の形態に係るビデオカメラ本体１００の構成は第１の実施の形態と同様なので重複説明は省略する。
【０１０２】
本発明の第２の実施の形態のビデオカメラにおける動画再生時（再生モード）における静止画抽出処理は、本発明の第１の形態における動画再生速度の変更処理のみ異なり、動画再生速度変更処理以外については、第１の実施の形態と同様であるため、省略する。
【０１０３】
図８は、図４のステップＳ１０５で実行される動画再生速度変更処理の手順を示すフローチャートである（２）。
【０１０４】
動画再生速度の変更処理が開始されると、ステップＳ５０１にて、圧縮伸張処理部１０４は、記録再生処理部１０６より出力されたデータに対して、所定の圧縮符号化方式に対応した伸張処理を施す。そして、それと共に、再生データから得られる輝度信号の変化量情報から単位時間当たりの被写体の動き量を検出し、ステップＳ５０２に進む。
【０１０５】
ステップＳ５０２では、圧縮伸張処理部１０４にて検出された被写体の動き変化量に応じて動画再生速度を変更する。
【０１０６】
例えば、被写体の動き変化量が大きい場合はスロー再生速度１／５、被写体の動き変化量が小さい場合はスロー再生速度１／２等のように被写体の動き変化量が大きいほどスロー再生速度を遅くするように動画再生速度を変更し、動画再生速度の変更処理を終了する。
【０１０７】
このように、本実施の形態では、ユーザーが動画から静止画を抽出する際に、動画再生中に静止画を抽出したい所望の場面の近傍にて静止画撮影ボタン１１４ｉを半押しすることで、動画再生速度を被写体の動き変化量に応じて自動的に変更する。従って、煩雑な操作なしに、ユーザーにとって最適なスロー再生速度で静止画抽出が可能となる。
【０１０８】
次に、動画撮影時（撮影モード）における静止画抽出処理について説明する。第２の実施の形態の動画撮影時における静止画抽出処理は、第１の実施の形態におけるスルー画像の遅延表示処理のみ異なり、スルー画像の遅延表示処理以外については、第１の実施の形態と同様であるため、省略する。
【０１０９】
図９は、図６のステップＳ３０５で実行されるスルー画像遅延表示処理の手順を示すフローチャートである（２）。
【０１１０】
スルー画像遅延表示処理が開始されると、ステップＳ６０１にて、圧縮伸張処理部１０４は、カメラ信号処理部１０３から出力されたデータに対して、所定の圧縮符号化方式に対応した圧縮処理を施す。そして、それと共に、データから得られる輝度信号の変化量情報から単位時間当たりの被写体の動き変化量を検出し、ステップＳ６０２に進む。
【０１１１】
ステップＳ６０２では、圧縮伸張処理部１０４にて検出された被写体の動き変化量に応じて遅延時間を変更する。
【０１１２】
例えば、被写体の動き変化量が大きい場合は遅延時間１／５、被写体の動き変化量が小さい場合は遅延時間１／２等のように、被写体の動き変化量が大きいほど遅延時間を遅くするように変更し、スルー画像の遅延表示処理を終了する。
【０１１３】
このように、本実施の形態では、ユーザーが動画から静止画を抽出する際に、動画撮影中に静止画を抽出したい所望の場面の近傍にて静止画撮影ボタン１１４ｉを半押しすることで、スルー画像の遅延表示時間を被写体の動き変化量に応じて自動的に変更する。従って、煩雑な操作なしに、ユーザーにとって最適な遅延表示時間で静止画抽出が可能となる。
【図面の簡単な説明】
【０１１４】
【図１】本発明の実施の形態に係る撮像装置としてのビデオカメラのブロック図である。
【図２】本発明の実施の形態に係る撮像装置としてのビデオカメラの正面方向（被写体側）右側から見た外観斜視図である。
【図３】本発明の実施の形態に係る撮像装置としてのビデオカメラの後方（撮影者側）から見た外観背面図である。
【図４】図１のビデオカメラによって実行される動画再生時（再生モード）の静止画抽出処理の手順を示すフローチャートである。
【図５】図４のステップＳ１０５で実行される動画再生速度変更処理の手順を示すフローチャートである（１）。
【図６】図１のビデオカメラによって実行される動画撮影時（撮影モード）の静止画抽出処理の手順を示すフローチャートである。
【図７】図６のステップＳ３０５で実行されるスルー画像遅延表示処理の手順を示すフローチャートである（１）。
【図８】図４のステップＳ１０５で実行される動画再生速度変更処理の手順を示すフローチャートである（２）。
【図９】図６のステップＳ３０５で実行されるスルー画像遅延表示処理の手順を示すフローチャートである（２）。
【符号の説明】
【０１１５】
１００  ビデオカメラ本体
１０１  レンズ
１０２  撮像部
１０３  カメラ信号処理部
１０４  圧縮伸張処理部
１０５  表示部
１０６  記録再生処理部
１１１  メモリ
１１２  メモリ制御部
１１３  ＣＰＵ
１１４  操作部
１１４ａ  巻き戻しボタン
１１４ｈ  ズームツマミ
１１４ｉ  静止画撮影ボタン
【図１】
0005058780.tif 000002
【図２】
0005058780.tif 000003
【図３】
0005058780.tif 000004
【図４】
0005058780.tif 000005
【図５】
0005058780.tif 000006
【図６】
0005058780.tif 000007
【図７】
0005058780.tif 000008
【図８】
0005058780.tif 000009
【図９】
0005058780.tif 000010